(57)【要約】【課題】薄型の吸収性物品においても装着感を悪化させることなく横漏れを確実に防止する。【解決手段】吸収体４は、略長手方向に沿って使用面側に突出する左右一対の第１障壁１０と、前記第１障壁１０の外側であって該吸収体４の側縁に沿って使用面側に突出する左右一対の第２障壁１１とが備えられるとともに、前記第１障壁１０と第２障壁１１の中間にそれぞれ、略長手方向に沿うエンボス溝１２が形成されている。吸収体本体４Ａの両側に設けられた第１障壁１０及び第２障壁１１によって幅方向に流れる体液が堰き止められるため、吸収体４として薄型のものを用いた場合でも横漏れが確実に防止できる。また、第１障壁１０と第２障壁の中間にエンボス溝１２を形成してあるため、第１障壁１０を乗り越えて外側に流出した体液が長手方向に拡散して第２障壁１１の広い範囲で受け止めることができる。【選択図】図２
2015027327.tif 000002
【特許請求の範囲】
【請求項１】
透液性表面シートと裏面シートとの間に吸収体が介在された吸収性物品において、
前記吸収体は、略長手方向に沿って肌側に突出する左右一対の第１障壁と、前記第１障壁の外側であって該吸収体の側縁に沿って肌側に突出する左右一対の第２障壁とが備えられるとともに、前記第１障壁と第２障壁の中間にそれぞれ、略長手方向に沿うエンボス溝が形成されていることを特徴とする吸収性物品。
【請求項２】
前記吸収体は、エアレイドパルプ不織布からなる請求項１記載の吸収性物品。
【請求項３】
前記第２障壁は、前記第１障壁より肌側に高く突出している請求項１、２いずれかに記載の吸収性物品。
【請求項４】
前記エンボス溝は、長手方向に沿う直線で形成された直線区間を有し、
前記第１障壁、エンボス溝の直線区間及び第２障壁の順に、長手方向両端の長さが漸次長くなるように形成されている請求項１〜３いずれかに記載の吸収性物品。
【請求項５】
前記透液性表面シート面側に略長手方向に沿う左右一対の縦方向エンボスが形成され、
前記第１障壁は、前記縦方向エンボスの外側に沿って形成されている請求項１〜４いずれかに記載の吸収性物品。
【請求項６】
前記第１障壁及び第２障壁はそれぞれ、シート状の吸収体を幅方向に折り畳むことによって構成されている請求項１〜５いずれかに記載の吸収性物品。
【請求項７】
前記透液性表面シートは、前記第１障壁及び第２障壁を一体的に覆うように、前記第１障壁と第２障壁との間で前記透液性表面シートと吸収体表面との間に空間が設けられるように配設されている請求項１〜６いずれかに記載の吸収性物品。
【請求項８】
前記エンボス溝は、長手方向に沿う直線で形成された直線区間と、その両端から連続するとともに、それぞれ幅方向内側に向けて傾斜する傾斜区間とから構成されている請求項１〜７いずれかに記載の吸収性物品。
【請求項９】
前記吸収性物品は、個装時に幅方向折り線にて長手方向に折り畳まれ、
前記第１障壁及び第２障壁はそれぞれ、前記幅方向折り線と重なる領域に、略幅方向に沿う切り込みが設けられている請求項１〜８いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品、詳しくは吸収体に横漏れ防止用の障壁とエンボス溝が形成された吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布又は透液性プラスチックシートなどの透液性表面シートとの間に綿状パルプ等からなる吸収体を介在したものが知られている。
【０００３】
近年、この種のパルプ繊維を用いた比較的嵩のある吸収性物品の場合には、身体のラインに影響して目立ちやすい、持ち運びに不便である、または収納性が悪いなどの問題があるとともに、物流の効率化や省資源化などの要請から、エアレイドパルプ不織布（以下、単にエアレイドともいう。）を吸収体として用いた薄型の吸収性物品が好まれる傾向にある。ところが、吸収体の薄型化に伴い吸収量が劣る、表面に凹凸をつけにくいため肌との間に隙間ができ横漏れが生じやすいなどの問題がしばしば指摘されている。吸収量低下の問題に対しては、高吸水性樹脂の含有率を上げるなどによって解決が図られているが、隙間からの漏れの問題に対しては、まだまだ十分な対策が採られているとは言えない。
【０００４】
この種の吸収性物品にも幾多の改良が重ねられ、体液漏れを防止するための手段が種々講じられている。例えば、下記特許文献１では、エアレイド不織布と該エアレイド不織布の一面側に配された液透過性シートとを有し、該エアレイド不織布と該液透過性シートとが共にエンボス加工されて該液透過性シートの側に個々に独立した不連続な多数の凹部が形成されており、該凹部内において該液透過性シートの一部が開口して該エアレイド不織布の一部が露出している吸収体が開示されている。
【０００５】
また、下記特許文献２では、吸収体の端の部分を折り返すことによって、液体をせき止め吸収することができるようにした体液吸収性物品が開示されている。
【先行技術文献】
【特許文献】
【０００６】
【特許文献１】特開２００３−２０４９９３号公報
【特許文献２】特開２００７−５００２４号公報
【発明の概要】
【発明が解決しようとする課題】
【０００７】
しかしながら、上記特許文献１記載の吸収体では、エアレイド不織布と液透過性シートとが共にエンボス加工されて個々に独立した不連続な多数の凹部が形成されているため、この凹部がエンボスによって硬化して装着感が悪化するおそれがあった。また、上記特許文献１記載の吸収体では、エンボス加工して凹部を形成し、この凹部内に排泄物を流れ込ませ、それ以上の流れを防止することによって漏れを防止しているが、薄型吸収性物品の場合には、吸収体に十分な深さの凹部が形成できないため、エンボス凹部だけで体液の横漏れを防止するには不十分であった。
【０００８】
また、上記特許文献２記載の体液吸収性物品の場合、吸収体の側端部を折り返すことによって障壁を形成しているが、薄型吸収性物品の場合には側端部を単に折り返しただけでは横漏れ防止のための十分な高さの障壁が形成されず横漏れが発生するおそれがあった。また、側端部に１本だけ肌側に突出する障壁を形成した場合には違和感が生じ装着感が悪化する問題があった。
【０００９】
更に、薄型吸収性物品の場合、表面の凹凸が小さいため、肌との間に隙間ができやすく、横漏れが生じやすかった。特に、幅方向両側では、身体のラインが中央部を頂部として幅方向に湾曲しているため肌との間に隙間ができやすく、横漏れが生じやすかった。
【００１０】
そこで本発明の主たる課題は、薄型の吸収性物品においても装着感を悪化させることなく横漏れを確実に防止した吸収性物品を提供することにある。
【課題を解決するための手段】
【００１１】
上記課題を解決するために請求項１に係る本発明として、透液性表面シートと裏面シートとの間に吸収体が介在された吸収性物品において、
前記吸収体は、略長手方向に沿って肌側に突出する左右一対の第１障壁と、前記第１障壁の外側であって該吸収体の側縁に沿って肌側に突出する左右一対の第２障壁とが備えられるとともに、前記第１障壁と第２障壁の中間にそれぞれ、略長手方向に沿うエンボス溝が形成されていることを特徴とする吸収性物品が提供される。
【００１２】
上記請求項１記載の発明では、前記吸収体の両側に略長手方向に沿って設けられた肌側に突出する左右一対の第１障壁及び第２障壁によって、幅方向に流れる体液が堰き止められるため、吸収体として薄型のものを用いた場合でも、横漏れが確実に防止できるようになる。更に、第１障壁と第２障壁との中間に長手方向に沿うエンボス溝を設けてあるため、第１障壁を乗り越えて体液が外側に流出しても、前記エンボス溝に沿って長手方向に素早く拡散し、第２障壁の広い範囲で受け止めることができるので、横漏れが確実に防止できるようになる。
【００１３】
また、幅方向両側にそれぞれ、幅方向に離間して第１障壁と第２障壁の２本の障壁が設けられているため、両側にそれぞれ１本の障壁を設けたものより広い範囲で肌と接触するので、装着時の違和感が大幅に軽減できるようになる。
【００１４】
請求項２に係る本発明として、前記吸収体は、エアレイドパルプ不織布からなる請求項１記載の吸収性物品が提供される。
【００１５】
上記請求項２記載の発明では、前記吸収体としてエアレイドパルプ不織布を使用することによって、吸収体を薄型化している。
【００１６】
請求項３に係る本発明として、前記第２障壁は、前記第１障壁より肌側に高く突出している請求項１、２いずれかに記載の吸収性物品が提供される。
【００１７】
上記請求項３記載の発明では、内側の第１障壁より外側の第２障壁の方が肌側に高く突出して設けることによって、障壁が全体として外側に向けて高く傾斜して設けられるようになるので、第１障壁を越えるような大量の体液が排出された場合であっても、第２障壁で確実に堰き止めることができるようになるとともに、幅方向中央部を頂部として湾曲する身体のラインにも適切にフィットし、肌との隙間が低減して漏れが防止できるようになる。
【００１８】
請求項４に係る本発明として、前記エンボス溝は、長手方向に沿う直線で形成された直線区間を有し、
前記第１障壁、エンボス溝の直線区間及び第２障壁の順に、長手方向両端の長さが漸次長くなるように形成されている請求項１〜３いずれかに記載の吸収性物品が提供される。
【００１９】
上記請求項４記載の発明では、前記第１障壁、エンボス溝及び第２障壁の長手方向の相対的な長さについて規定してあり、第１障壁、エンボス溝の直線区間及び第２障壁の順に、長手方向両端の長さが漸次長くなるように形成している。体液が幅方向内側から幅方向外側に拡散するにつれて、長手方向にも拡散するため、このような長手方向に拡散した体液を確実に堰き止め、漏れが防止できるようになる。
【００２０】
請求項５に係る本発明として、前記透液性表面シート面側に略長手方向に沿う左右一対の縦方向エンボスが形成され、
前記第１障壁は、前記縦方向エンボスの外側に沿って形成されている請求項１〜４いずれかに記載の吸収性物品が提供される。
【００２１】
上記請求項５記載の発明では、前記第１障壁を縦方向エンボスの外側に沿って形成することによって、凹凸感を軽減して装着中の違和感を和らげている。
【００２２】
請求項６に係る本発明として、前記第１障壁及び第２障壁はそれぞれ、シート状の吸収体を幅方向に折り畳むことによって構成されている請求項１〜５いずれかに記載の吸収性物品が提供される。
【００２３】
上記請求項６記載の発明では、前記第１障壁及び第２障壁の好ましい形態について規定したものであり、シート状の吸収体を幅方向に折り畳むことによって構成している。このため、前記シート状の吸収体としてエアレイドパルプ不織布のような薄型の吸収体を使用して、第１障壁及び第２障壁を簡単に設けることができるようになる。なお、前記シート状の吸収体としては、吸収体本体と同じ素材のものを用いてもよいし、異なるものを用いてもよい。
【００２４】
請求項７に係る本発明として、前記透液性表面シートは、前記第１障壁及び第２障壁を一体的に覆うように、前記第１障壁と第２障壁との間で前記透液性表面シートと吸収体表面との間に空間が設けられるように配設されている請求項１〜６いずれかに記載の吸収性物品が提供される。
【００２５】
上記請求項７記載の発明では、前記透液性表面シートが第１障壁及び第２障壁を一体的に覆うように、前記第１障壁と第２障壁との間で前記透液性表面シートと吸収体表面との間に空間が設けられるように配設することによって、第１障壁及び第２障壁の凹凸感が軽減され、装着時の違和感が緩和できるようになる。
【００２６】
請求項８に係る本発明として、前記エンボス溝は、長手方向に沿う直線で形成された直線区間と、その両端から連続するとともに、それぞれ幅方向内側に向けて傾斜する傾斜区間とから構成されている請求項１〜７いずれかに記載の吸収性物品が提供される。
【００２７】
上記請求項８記載の発明では、前記エンボス溝を、直線区間と、その両端から連続するとともに、それぞれ幅方向内側に向けて傾斜する傾斜区間とから構成することによって、エンボス溝に沿って流れる体液を長手方向両端部で吸収体の幅方向内側に誘導することができ、横漏れがより確実に防止できるようになる。
【００２８】
請求項９に係る本発明として、前記吸収性物品は、個装時に幅方向折り線にて長手方向に折り畳まれ、
前記第１障壁及び第２障壁はそれぞれ、前記幅方向折り線と重なる領域に、略幅方向に沿う切り込みが設けられている請求項１〜８いずれかに記載の吸収性物品が提供される。
【００２９】
上記請求項９記載の発明では、吸収性物品を個装時に幅方向折り線にて長手方向に折り畳んだ場合、前記第１障壁及び第２障壁に折り皺がつくことによって、装着時に障壁としての機能が低下するのを防止するため、前記第１障壁及び第２障壁の前記幅方向折り線と重なる領域に、略幅方向に沿う切り込みを設けることによって折り皺を軽減するようにしている。
【発明の効果】
【００３０】
以上詳説のとおり本発明によれば、薄型の吸収性物品においても装着感が悪化することなく横漏れを確実に防止できるようになる。
【図面の簡単な説明】
【００３１】
【図１】本発明に係る生理用ナプキン１の一部破断展開図である。
【図２】そのII−II線矢視図（横断面図）である。
【図３】吸収体４の横断面図である。
【図４】吸収体４の平面図である。
【図５】(A)、(B)は、生理用ナプキン１の要部拡大図である。
【発明を実施するための形態】
【００３２】
以下、本発明の実施の形態について図面を参照しながら詳述する。
【００３３】
〔生理用ナプキン１の基本構造〕
本発明に係る生理用ナプキン１は、図１及び図２に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、前記透液性表面シート３と吸収体４との間に介在された親水性不織布からなるセカンドシート６と、表面両側部にそれぞれ長手方向に沿って配設されたサイド不織布７，７とから主に構成されている。前記吸収体４の周囲において、そのナプキン長手方向の前後端縁部では、前記不透液性裏面シート２と透液性表面シート３との外縁部がホットメルトなどの接着剤やヒートシール等の接着手段によって接合され、またその両側縁部では吸収体４の端縁よりも側方に延出している前記不透液性裏面シート２と前記サイド不織布７とがホットメルトなどの接着剤やヒートシール等の接着手段によって接合され、外周に吸収体４の存在しない外周フラップ部が形成されている。
【００３４】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００３５】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。
【００３６】
これら不透液性裏面シート２と透液性表面シート３との間に介在される吸収体４は、エアレイドパルプ不織布を使用することが望ましい。前記エアレイドパルプ不織布は、所定長さの繊維を解繊して空気の流れに乗せて搬送し、金網又は細孔を有するスクリーンを通過させた後、ワイヤーメッシュ上に落下堆積させるエアレイド法によりウエブを形成し、該ウエブにおける繊維同士の交点をバインダー繊維により熱融着させるか、又はエマルジョンバインダーで繊維交点を結合させて形成されたシート状の吸収体である。なお、前記ウエブ繊維中に適宜粉粒状の高吸水性ポリマーを混入させることによって吸水容量を増大させるようにしてもよい。前記エアレイドパルプ不織布を構成する繊維としては、パルプ繊維の他、熱可塑性繊維の短繊維が用いられる。熱可塑性繊維としては、例えばポリプロピレン、低密度ポリエチレン、線状低密度ポリエチレン、プロピレンとαオレフィンとからなる結晶性プロピレン共重合体等のオレフィン類や、ポリアミド類、ポリエチレンテレフタレート、ポリブチレンテレフタレート、ジオールとテレフタル酸／イソフタル酸とを共重合した低融点ポリエステル、ポリエステルエラストマー等のポリエステル類などの各種合成繊維が挙げられる。
【００３７】
前記バインダー繊維としては、融点の異なる低融点樹脂と高融点樹脂とからなり且つ該低融点樹脂が繊維表面の少なくとも一部を形成している熱融着性複合繊維が好適に用いられる。熱融着性複合繊維の形態は、融点の高い繊維を芯とし融点の低い繊維を鞘とした芯鞘型繊維やサイドバイサイド型繊維、分割型繊維など何れの複合繊維を用いることができる。
【００３８】
前記エマルジョンバインダーとしては、水系エマルジョンバインダー及び有機溶剤系のエマルジョンバインダーの何れをも用いることができるが、取り扱い性や安全性等の点から水系エマルジョンバイダーを用いることが好ましい。バインダー成分としては、アクリル系樹脂、酢酸ビニル系樹脂、スチレンブタジエン系樹脂などを用いることができる。
【００３９】
前記吸収体４としてエアレイドパルプ不織布を用いる代わりに、積繊吸収体を使用することも可能である。積繊吸収体を用いる場合、後段で詳述する吸収体本体４Ａに第１障壁１０と第２障壁１１のための凹部が形成された型を用意し、この型に積繊することによって、第１障壁１０及び第２障壁１１が吸収体本体４Ａと一体的に形成されるようになる。積繊吸収体としては、たとえばパルプ中に高吸水性樹脂を混入したもの、或いはパルプ中に化学繊維を混入させるとともに、高吸水性ポリマーを混入したものなどが用いられる。前記吸収体４は、形状保持、および経血等を速やかに拡散させるとともに、一旦吸収した経血等の逆戻りを防止するためにクレープ紙によって囲繞することが好ましいが、無くても構わない。
【００４０】
また、前記吸収体本体４Ａは、後段で詳述する縦方向エンボス８及びエンボス溝１２が付与される領域を除いて、幅方向及び長手方向にほぼ均一な密度を有している。つまり、前記吸収体４としてエアレイドパルプ不織布を使用する場合には、前記縦方向エンボス８及びエンボス溝１２以外には、吸収体が圧縮されていない。これによって、ゴワ付きや違和感がなく薄型ナプキンの装着性が向上するとともに、吸収体に吸収された体液が幅方向及び長手方向に拡散スピードが変化することなく素早く拡散して吸収できるので、ナプキン全体の吸収量が増加できる。
【００４１】
なお、本生理用ナプキン１は主に薄型のナプキンを対象としているので、体液排出部に対応する領域に周辺の吸収体厚より増厚した中高部を設けないことが望ましい。
【００４２】
一方、本生理用ナプキン１の表面側両側部にはそれぞれ、長手方向に沿ってかつナプキン１のほぼ全長に亘ってサイド不織布７，７が設けられている。このサイド不織布７，７が側方に延在されるとともに、同じく側方に延在された不透液性裏面シート２とによって側方フラップ部が形成されている。
【００４３】
前記サイド不織布７としては、重要視する機能の点から撥水処理不織布または親水処理不織布を使用することができる。たとえば、体液が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記サイド不織布７における体液の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００４４】
前記透液性表面シート３の面側に、略長手方向に沿う左右一対の縦方向エンボス８、８が形成されている。前記縦方向エンボス８は、透液性表面シート３の表面側から吸収体４（吸収体本体４Ａ）にかけて圧搾されたエンボスであって、透液性表面シート３と吸収体４とを接合することと、体液の拡散を防止することなどを目的として付与されるものである。平面形状は、長手方向に分断することなく連続的に形成され、図示例では、体液排出部の両側部に相当する幅方向両側にナプキン長手方向に延びる直線によって左右一対の縦方向エンボス８、８が形成されるとともに、これら縦方向エンボス８、８の前後端縁がそれぞれナプキン外側に膨出する円弧状エンボス８ａ、８ａで接続されることによって、全体として周方向に閉合した縦長の小判形に形成されている。前記縦方向エンボス８、８は、図示例のような直線の他、幅方向の外側又は内側に膨出する曲線としてもよく、前後端部を前記円弧状エンボス８ａで接続せずに左右両側で独立的に設けることも可能である。
【００４５】
〔吸収体４について〕
本生理用ナプキン１では、前記吸収体４は、平面状に形成された吸収体本体４Ａの肌面側に、略長手方向に沿って肌側に突出する左右一対の第１障壁１０と、前記第１障壁１０の外側であって、吸収体４の側縁に沿って肌側に突出する左右一対の第２障壁１１とが備えられるとともに、前記第１障壁１０と第２障壁１１の中間に、略長手方向に沿うエンボス溝１２が形成されている。
【００４６】
前記第１障壁１０及び第２障壁１１は、前記吸収体本体４Ａと別体の吸収体を接合することによって構成する方が、障壁の形状や目付、質感等を任意に調整できるので好ましいが、上述のようにパルプの積繊によって吸収体本体４Ａと一体的に構成してもよい。より好ましくは、シート状（又は帯状）の吸収体を幅方向に折り畳むことによって前記第１障壁１０及び第２障壁１１を構成し、吸収体本体４Ａの肌面側に接合するのがよい。前記シート状の吸収体としては、前記吸収体本体４Ａと同じエアレイドパルプ不織布を用いることが好ましいが、その他の製法によるパルプ不織布や積繊パルプなど、吸収体本体４Ａと異なる素材からなるものを用いることも可能である。前記吸収体本体４Ａと同じエアレイドパルプ不織布によって構成する場合、エアレイドを幅方向に所定の幅で折り畳んで、折り畳んだエアレイド同士をホットメルト接着剤等によって接着するとともに、前記吸収体本体４Ａの表面側の所定位置にホットメルト接着剤等によって接着する。これによって、第１障壁１０及び第２障壁１１の厚みや目付が自由に選択できるとともに、加工が簡単にでき、素材の共通化による資材コストの削減を図ることもできるようになる。
【００４７】
前記第２障壁１１は、第１障壁１０より肌側に高く突出して設けることが好ましい。すなわち、第１障壁１０及び第２障壁１１をエアレイドを折り畳むことによって形成する場合、第２障壁１１の方が第１障壁１０より折り畳み回数を多くすることが好ましい。図示例では、第１障壁１０が２つ折り、第２障壁１１が３つ折りとされている。これによって、第１障壁１０を越えて外側に流出するような大量の体液が排出された場合でも、これより高く突出した第２障壁１１によって堰き止めることができるので、横漏れが確実に防止できるようになる。また、幅方向中央部を頂部として湾曲する身体のラインに対し、幅方向外側が相対的に高く突出することによって肌との密着性が高まり、横漏れが確実に防止できるようになる。
【００４８】
前記第１障壁１０は、前記縦方向エンボス８の外側に沿って形成することが好ましい。つまり、縦方向エンボス８は、第１障壁１０の内側縁部に沿って付与されている。これにより、装着時に第１障壁１０の凹凸感が軽減でき、装着中の違和感を和らげることができるとともに、第１障壁１０の保形性が維持できるようになる。図示例のように、縦方向エンボス８が直線で形成される場合には第１障壁１０も直線で配置され、図示しないが、縦方向エンボス８が曲線で形成される場合には第１障壁１０もこれに沿った曲線で配置される。
【００４９】
前記第２障壁１１は、吸収体４の側縁に沿って配置することが好ましい。吸収体４の側縁に沿って配置するとは、吸収体本体４Ａの側縁に近接して配置する場合の他、吸収体本体４Ａの側縁より若干内側に離間した近傍位置に配置する場合も含む。これによって、吸収体４の側縁で確実に体液を堰き止めることができるようになる。図示例では吸収体４の側縁が長手方向に沿う直線で形成されるため、第２障壁１１もこれに沿った直線で配置されているが、吸収体４の側縁が幅方向内側に膨出した曲線で形成される場合には、第２障壁１１もこれに沿った曲線で配置する。
【００５０】
前記第１障壁１０と第２障壁１１の中間に形成されるエンボス溝１２は、吸収体本体４Ａの肌面側から圧搾されたエンボスであって、主として第１障壁１０を乗り越えて外側に流出した体液を該エンボス溝１２に沿ってナプキン長手方向に拡散させるために設けられるものである。このエンボス溝１２は、図１に示されるように、ナプキン長手方向に沿う直線によって形成された直線区間１２ａと、その両端から連続するとともに、それぞれ幅方向内側に向けて傾斜する傾斜区間１２ｂ、１２ｂとから構成することが望ましい。これにより、エンボス溝１２の両端部に拡散した体液を幅方向内側に誘導しやすくなり、横漏れが確実に防止できるようになる。
【００５１】
前記第１障壁１０及び第２障壁１１は、透液性表面シート３によって一体的に覆われている。すなわち、前記透液性表面シート３が第１障壁１０及び第２障壁１１をそれぞれ個別的に覆うのではなく、前記第１障壁１０と第２障壁１１との間で透液性表面シート３と吸収体本体４Ａの表面との間に空間が設けられるように、透液性表面シート３が第１障壁１０の頂部と第２障壁１１の頂部との間に架け渡されるように配置されている。これによって、第１障壁１０及び第２障壁１１の凹凸感が軽減され、装着時の違和感が緩和できるようになる。また、透液性表面シート３が第１障壁１０及び第２障壁１１を一体的に覆うことによって、第１障壁１０及び第２障壁１１がない場合に比べて、透液性表面シート３の表面積が増加し、表面シート３を幅方向に流れる体液の移動距離が長くなるため、その間に吸収体４に吸収される機会が増加するので、この点からも横漏れが軽減できるようになる。
【００５２】
前述のように構成される生理用ナプキン１においては、前記第１障壁１０及び第２障壁１１の２重の障壁によって幅方向に流れる体液が堰き止められるため、吸収体本体４Ａとして薄型のものを用いた場合でも、横漏れが確実に防止できるようになる。また、第１障壁１０と第２障壁１１との間に長手方向に沿うエンボス溝１２を形成してあるため、第１障壁１０を乗り越えて外側に体液が流出しても、体液が前記エンボス溝１２に沿ってナプキン長手方向に素早く拡散した後、第２障壁１１の広い範囲で受け止められるので、横漏れが確実に防止できるようになる。
【００５３】
また、吸収体本体４Ａの幅方向両側にそれぞれ、第１障壁１０と第２障壁１１の２本の障壁が設けられているため、１本の障壁を設けたものより広い範囲で肌と接触するようになり、装着時の違和感が大幅に軽減できるようになる。
【００５４】
次に、前記吸収体４の各部の寸法について説明する。本生理用ナプキン１は薄型ナプキンを対象としているため、図３に示されるように、吸収体本体４Ａの厚みＴは０．３〜２．０ｍｍ、好ましくは０．５〜１．０ｍｍとするのがよい。また、吸収体本体４Ａの幅Ｂは９０ｍｍ以下が好ましい。
【００５５】
前記第１障壁１０及び第２障壁１１の吸収体本体４Ａ表面からの高さＨ１、Ｈ２は、吸収体本体４Ａの厚みＴとの関係で、吸収体本体４Ａの厚みＴ：第１障壁１０の高さＨ１：第２障壁１１の高さＨ２＝１：１〜３：１．５〜４とするのがよい。また、各部の目付は、吸収体本体４Ａの目付：第１障壁１０の目付：第２障壁１１の目付＝１：１〜２：１．１〜２とするのがよい。つまり、内側の第１障壁１０から外側の第２障壁１１に向けて高さを高くすることで、装着時の違和感を軽減し、装着感を損ねないとともに、体液の漏れが確実に防止できるようになる。なお、吸収体本体４Ａ、第１障壁１０及び第２障壁１１をそれぞれエアレイドで形成した場合、目付が５０〜２５０ｇ／ｍ２、好ましくは１７０〜２００ｇ／ｍ２の範囲内で、それぞれ同一の目付としてもよいし、異なる目付としてもよい。
【００５６】
一方、各部の幅は、図３に示されるように、縦方向エンボス８の外側縁部から吸収体本体４Ａ側端までの距離Ｂ０は、５〜３０ｍｍ、好ましくは８〜２０ｍｍがよく、第１障壁１０の幅Ｂ１及び第２障壁１１の幅Ｂ２はそれぞれ、２〜１０ｍｍ、好ましくは３〜６ｍｍがよく、第１障壁１０と第２障壁１１との間隔Ｂ３は、１〜１０ｍｍ、好ましくは２〜５ｍｍとするのがよい。また、各部の幅の相対的関係は、縦方向エンボス８の外側縁部と吸収体本体４Ａ側端までの距離Ｂ０を基準として、Ｂ０：Ｂ１：Ｂ２：Ｂ３＝１：０．２〜０．４：０．２〜０．４：０．１〜０．３とするのがよい。縦方向エンボス８の外側縁部と吸収体本体４Ａ側端までの距離Ｂ０を基準として各部の幅寸法を規定することによって、特に第１障壁１０と第２障壁１１との間隔が離れすぎないようにし、障壁間の表面の凹凸感を軽減している。
【００５７】
また、第１障壁１０の幅Ｂ１と第２障壁１１の幅Ｂ２は、同じとしてもよいが、異なる方が好ましい。この場合、第２障壁１１が第１障壁１０より外側に存在しているのと、第２障壁１１を相対的に高く形成した場合には肌に接触しやすいので、第２障壁１１の幅Ｂ２の方が相対的に大きくするのが好ましい。
【００５８】
なお、第２障壁１１の外側端部から吸収体本体４Ａの側縁までの幅方向距離は、０〜１０ｍｍ、好ましくは０〜５ｍｍとするのがよい。
【００５９】
続いて、各部のナプキン長手方向の長さについて説明すると、図４に示されるように、各部の長さは、第１障壁１０、エンボス溝１２の直線区間１２ａ及び第２障壁１１の順に、長手方向両端の長さが漸次長くなるように形成するのが好ましい。すなわち、エンボス溝１２の直線区間１２ａは、第１障壁１０より長手方向両側に長く形成されるとともに、第２障壁１１は、エンボス溝１２の直線区間１２ａより長手方向両側に長く形成されている。これによって、外側に向かうにつれて長手方向に拡散する体液を効果的に堰き止めることができるようになる。
【００６０】
具体的に、第１障壁１０の長さＬ１は、５０〜３００ｍｍ、好ましくは７０〜９５ｍｍとするのがよく、第２障壁１１の長さＬ２は、６０〜３４０ｍｍ、好ましくは１１０〜１４０ｍｍとするのがよく、エンボス溝１２の直線区間１２ａの長さＬ３は、５０〜３２０ｍｍ、好ましくは１００〜１３０ｍｍとするのがよい。また、各部の相対的関係は、生理用ナプキン１の長手寸法Ｌ（図１参照。）を基準として、Ｌ：Ｌ１：Ｌ３：Ｌ２＝１：０．３５〜０．７５：０．４０〜０．８：０．４５〜０．８５とするのがよい。
【００６１】
なお、エンボス溝１２の傾斜区間１２ｂのナプキン長手方向の長さＬ４は、１〜３０ｍｍ、好ましくは１０〜２５ｍｍとするのがよい。前記傾斜区間１２ｂの先端は、図示例のように第２障壁１１よりナプキン長手方向の外側に位置するようにしてもよいし、第２障壁１１の範囲内に位置させてもよい。
【００６２】
ところで、本生理用ナプキン１においては、個装時に、ナプキンを幅方向折り線Ｓにて長手方向に折り畳んだとき、第１障壁１０及び第２障壁１１が嵩高のため多数の皺が発生し、装着時に折り癖が残って障壁としての機能が十分に発揮されない場合がある。そこで、図５に示されるように、前記第１障壁１０及び第２障壁１１の少なくとも前記幅方向折り線Ｓと重なる位置にそれぞれ、略幅方向に沿って切り込み１３を設けることが好ましい。
【００６３】
前記切り込み１３は直線状に形成され、ナプキン幅方向に平行して（幅方向折り線Ｓに平行して）形成してもよいし、ナプキン長手方向の中心側（図５(A)）又はナプキン長手方向の外側（図５(B)）に向けて傾斜して形成してもよい。長手方向中心側に傾斜させた方が、長手方向外側に傾斜させるより、体液を内側に引き寄せやすくなるため好ましい。前記切り込み１３は、前記第１障壁１０又は第２障壁１１に沿って間隔をあけて複数設けることが好ましい。
【００６４】
前記切り込み１３は、図５に示されるように、第１障壁１０及び第２障壁１１の全幅に亘って設けるのではなく、幅方向外側に非切り込み範囲を残して幅方向内側の所定範囲に設けることが好ましい。全幅に亘って切り込みを設けると装着時に障壁が分断して、そこから漏れが生じるおそれがある。切り込み１３を設ける幅は、第１障壁１０の幅Ｂ１、第２障壁１１の幅Ｂ２に対して、切り込み１３の幅：Ｂ１：Ｂ２＝０．１〜０．８：０．４〜１：１とするのがよい。切り込み１３の具体的な長さは、１〜６ｍｍ、好ましくは１．５〜４ｍｍとするのがよい。
【符号の説明】
【００６５】
１…生理用ナプキン、２…不透液性裏面シート、３…透液性表面シート、４…吸収体、４Ａ…吸収体本体、６…セカンドシート、７…サイド不織布、８…縦方向エンボス、１０…第１障壁、１１…第２障壁、１２…エンボス溝、１３…切り込み
【図１】
2015027327.tif 000003
【図２】
2015027327.tif 000004
【図３】
2015027327.tif 000005
【図４】
2015027327.tif 000006
【図５】
2015027327.tif 000007